(57)【要約】【課題】短手方向の両端部において、効果的な圧迫を実現することができ、さらに、小型化を図ることができる生体圧迫装置、その製造方法及び血圧測定装置の提供を目的とする。【解決手段】生体圧迫装置１の空気袋２が、長手方向と平行な両端部が折り曲げられた一枚のシート２２、シート２２の折り曲げられた両端部どうしを溶着した、シート２２の上面に位置する上面の溶着部２３、及び、長手方向の両端部をそれぞれ溶着した長手方向の溶着部２４を有する空気袋本体２１と、この空気袋本体２１に収納され、空気袋本体２１の上面に対応した形状であり、空気袋本体２１の上面のシート２２の内面に、取り付けられたシートコア３とを備えている。【選択図】  図２
2010088505.tif 000002
【特許請求の範囲】
【請求項１】
流体が入出することにより膨縮する流体袋を備えた、生体に巻き付けられる生体圧迫装置において、
前記流体袋の生体に対向しない側の内面に、シートコアが取り付けられていることを特徴とする生体圧迫装置。
【請求項２】
前記流体袋は、矩形形状であり、前記シートコアは、矩形形状の短手方向において前記流体袋より狭い領域に取り付けられていることを特徴とする請求項１に記載の生体圧迫装置。
【請求項３】
前記流体袋は、一枚のシートを折り曲げて形成されていることを特徴とする請求項１又は２に記載の生体圧迫装置。
【請求項４】
前記シートコアの短手方向の少なくとも一方の端部が、肌側に湾曲していることを特徴とする請求項１〜３のいずれか一項に記載の生体圧迫装置。
【請求項５】
流体が入出することにより膨縮する、シートコアを収納した流体袋と、前記流体袋を内包するカバーとを有し、生体に巻き付けられる生体圧迫装置の製造方法であって、
前記流体袋を製造する際、
一枚のシートの、長手方向と平行な両端部を折り曲げるとともに、折り曲げられた前記両端部の内面を、前記シートコアに取り付ける工程と、
前記シートコアに取り付けられた前記両端部どうしを溶着する工程と、
長手方向の両端部をそれぞれ溶着する工程と
を有することを特徴とする生体圧迫装置の製造方法。
【請求項６】
上記請求項１〜４のいずれか一項に記載の前記生体圧迫装置を用いたことを特徴とする血圧測定装置。
【発明の詳細な説明】
【技術分野】
【０００１】
本発明は、腕を圧迫する際、腕軸方向の両端部において、効果的な圧迫を実現することができ、さらに、小型化を図ることができる生体圧迫装置、その製造方法及び血圧測定装置に関する。
【背景技術】
【０００２】
近年、血圧計は、病院等に限らず、健康管理を目的として、一般家庭にも広く普及してきた。これら一般家庭用の血圧計は、通常、操作が簡単な自動血圧計である。
自動血圧計は、様々な測定方式や構成のものが開発されているが、その一つに、オシロメトリック式電子血圧計がある。このオシロメトリック式電子血圧計は、空気袋の内圧に重畳した脈波を検出し、この脈波の振幅変化にもとづいて血圧を算出する。このオシロメトリック式電子血圧計は、上腕に巻き付けられ空気袋を有する生体圧迫装置（一般的に、カフとも呼称される。）と、配管を介して空気袋と連通した、圧力センサ、ポンプ及び排気弁と、圧力センサ、ポンプ及び排気弁と接続された情報処理装置と、情報処理装置と接続された操作スイッチ及び表示器などとからなっている。
【０００３】
また、上記自動血圧計には、様々な構成の生体圧迫装置が用いられている。
次に、従来の生体圧迫装置について図面を参照して説明する。
【０００４】
（従来例）
図８は、従来例にかかる生体圧迫装置の概略図であり、（ａ）は表面側展開図を示しており、（ｂ）は裏面側展開図を示している。
図８において、生体圧迫装置１００は、空気袋１２０を外面カバー１１１と内面カバー１１２とで挟んで形成される帯状体１１０と、この帯状体１１０の長手方向の一端部に取り付けられた環状の留め金具１３と、この留め金具１３に挿入され、該留め金具１３を介して折り返された帯状体１１０の他端部を固定する面ファスナー１３０とを備えている。
【０００５】
図９は、従来例にかかる生体圧迫装置の空気袋の要部の概略図であり、（ａ）は平面図を示しており、（ｂ）は圧迫状態を説明するためのＣ−Ｃ拡大断面図を示している。なお、図９（ｂ）において、理解しやすいように、ジョイント２５及び内面カバー１１２を省略してある。
図９において、空気袋１２０は、上面側シート１２１、下面側シート１２２、及び、これらのシートの周縁部を溶着した溶着部１２３などを有している。この空気袋１２０は、構造が単純であり、また、容易に製造することができるので、製造原価のコストダウンを図ることができる。また、空気袋１２０は、流体（通常、空気）が入出することにより膨縮する流体袋である。
また、空気袋１２０は、生体圧迫装置１００が腕に巻き付けられ、ジョイント２５から空気が送入されると、図９（ｂ）に示すように膨れ、腕を圧迫する。
この空気袋１２０は、通常、上面側シート１２１及び下面側シート１２２が、同一の材料から形成されている。したがって、上面側シート１２１及び下面側シート１２２の厚さは、同じである。
【０００６】
また、生体圧迫装置は、空気袋の溶着部から空気を漏れにくくすること、又は、腕軸方向の両端部において、効果的な圧迫を実現することなどを目的として、様々な技術が開発されてきた。
【０００７】
例えば、特許文献１には、１枚の方形の樹脂シートにおける両端の対向する２辺部を、その一端の外面に他端の内面が接触するように内外に重ね合せて、その重合箇所を高周波ウェルダー等により溶着して筒状となし、その樹脂シートの筒状体を扁平になして上記の溶着部を片面のほぼ中央部に位置させた状態で、その扁平な筒状体における両端の開口した２辺部をそれぞれ溶着して閉じることを特徴とする血圧計のカフ用空気袋の製造方法の技術が開示されている。
この技術によれば、血圧計のカフ用空気袋を、空気が漏れにくくなるように製造できる。
【０００８】
また、特許文献２には、流体の入出により膨張・収縮する流体袋（空気袋）を備える血圧計用カフの技術が開示されている。この血圧計用カフの流体袋は、外側に位置する外壁部と、内側に位置する内壁部と、外壁部及び内壁部の巻付方向の両側端にそれぞれ連接し、流体袋の内側方向に折り畳まれた側壁部と、この両側壁部を流体袋内で連接する連結部とを有する。
この技術によれば、流体袋を膨張させても幅が変化せず、しかも膨張時に、幅方向に膨らむこともなく、膨張・収縮でも元の形状を維持できる。
【０００９】
さらに、特許文献３には、流体の入出により膨張・収縮する流体袋（空気袋）を備える血圧計用カフの技術が開示されている。この血圧計用カフの流体袋は、平面視ほぼ矩形であって外側に位置する第１の流体室と、平面視ほぼ矩形であって内側に位置する第２の流体室とを有し、第１及び第２の流体室の相対する面がそれぞれの平面視領域よりも狭い領域部分で接合される接合部を有し、かつこの接合部で囲まれる領域内に第１及び第２の流体室を連通する穴を備えている。
この技術によれば、流体袋を膨張させても幅が変化せず、しかも膨張時に、幅方向に膨らむこともなく、膨張・収縮でも元の形状を維持できる。
【００１０】
さらに、特許文献４には、可撓性を有する湾曲板と空気袋を内蔵する血圧計用カフの技術が開示されている。この血圧計用カフは、湾曲板の展開形状の大きさが、空気袋の展開形状の大きさよりも小さいことを特徴としている。
この技術によれば、カフに取り付けられる湾曲板の大きさを空気袋よりも小さくすることで、被測定者に苦痛を与えず、巻き心地感覚を向上させることができる。
【００１１】
また、特許文献５には、ゴム袋（空気袋）と布帯とからなり、拡張防止帯が設けられた血圧測定用カフ帯の技術が開示されている。
この技術によれば、ゴム袋が外側に向かって、必要以上に拡張するのを有効に阻止することができる。
【特許文献１】特開２００３−５２６５１号公報
【特許文献２】特開２００１−２２４５５８号公報
【特許文献３】特開２００３−３２５４６２号公報
【特許文献４】特開２００２−２３８８６４号公報
【特許文献５】実開昭５３−１０５９４号公報
【発明の開示】
【発明が解決しようとする課題】
【００１２】
しかしながら、上述した生体圧迫装置１００は、図９（ｂ）に示すように、腕軸方向の両端部において、溶着部１２３が、生体（適宜、腕と略称する。）の圧迫に全く寄与しない。また、溶着部１２３とつながっている下面側シート１２２の両端部は傾斜しており、これらの部分も、腕を圧迫していない。すなわち、空気袋１２０に空気を送入したとき、空気袋１２０の腕軸方向の長さは、Ｌ０＋２×ΔＬ０となるが、腕軸方向の圧迫有効長さはＬ０であり、両端の２×ΔＬ０の長さの部分は、腕を圧迫していない。ここで、血圧を精度よく測定するには、所定の腕軸方向の圧迫有効長さを確保する必要がある。したがって、生体圧迫装置１００は、所定の腕軸方向の圧迫有効長さを確保しようとすると、図８に示す帯状体１１０の腕軸方向の寸法Ｗ０が長くなり、生体圧迫装置１００を小型化することができないといった問題があった。
【００１３】
また、生体圧迫装置１００において、下面側シート１２２の両端部の、傾斜している部分を短くするために、上面側シート１２１と下面側シート１２２の厚さを、異ならせる改良技術（たとえば、上面側シート１２１を下面側シート１２２より厚くする改良技術）がある。ただし、この技術では、異なる厚さのシートを管理する必要があり、管理工数が増大するといった問題があった。さらに、この改良技術においても、溶着部１２３の部分は、腕の圧迫に全く寄与しないので、生体圧迫装置１００を十分小型化することができないといった問題があった。
【００１４】
また、上記特許文献１の技術は、図示してないが、空気袋の上面、下面、及び、腕軸方向の両端部に位置する面（側面）は、ほぼ同じ膨れやすさ及び撓りやすさを有している。また、この空気袋は、腕に巻き付けられた場合、外面カバーと腕に挟まれた状態となり、上面及び下面の中央部が膨らみやすくなる。さらに、カフ（生体圧迫装置）が腕にゆるく巻かれると、腕軸方向の両端部において、腕の圧迫に寄与しない、腕軸方向への突出量が増大する。すなわち、腕軸方向の圧迫有効長さが短くなり、腕軸方向の端部において、効果的な圧迫を実現することができなくなるといった問題があった。
【００１５】
さらに、上記特許文献２、３の技術は、腕軸方向の端部において、効果的な圧迫を実現することができるものの、構造が複雑であり、製造原価のコストダウンを図ることができないといった問題があった。
【００１６】
また、上記特許文献４の技術は、可撓性を有する湾曲板（シートコア）を設けることにより、被測定者に苦痛を与えず、巻き心地感覚を向上させることを目的としているもので、上記問題を解決することはできない。
また、上記特許文献５に記載の技術は、拡張防止板をゴム袋の外側に配置して体表面に圧力を集中させているが、ゴム袋が円弧状に膨らむため拡張防止板の腕軸方向の端部では拡張防止板とゴム袋が離れてしまい体表面方向に押えることができず、腕軸方向の端部で効果的な圧迫を実現することができないといった問題があった。
【００１７】
本発明は、以上のような従来の技術が有する問題を解決するために提案されたものであり、短手方向の両端部において、効果的な圧迫を実現することができ、さらに、小型化を図ることができる生体圧迫装置、その製造方法及び血圧測定装置の提供を目的とする。
【課題を解決するための手段】
【００１８】
上記目的を達成するため、本発明の生体圧迫装置は、流体が入出することにより膨縮する流体袋を備えた、生体に巻き付けられる生体圧迫装置において、前記流体袋の生体に対向しない側の内面に、シートコアが取り付けられている。
このようにすると、流体袋本体の上面の膨れ量が抑制され、流体袋本体の下面及び側面の膨れ量が増大する。これにより、流体袋本体の下面は、生体をより均一に圧迫することができる。また、流体袋に流体を送入するとき、流体袋本体の短手方向の湾曲した側面において、生体の圧迫に寄与しない、短手方向への突出量が低減される。すなわち、短手方向の圧迫有効長さが増えるので、短手方向の端部において、効果的な圧迫を実現することができ、さらに、生体圧迫装置の小型化を図ることができる。
【００１９】
また、好ましくは、前記流体袋は、矩形形状であり、前記シートコアは、矩形形状の短手方向において前記流体袋より狭い領域に取り付けられているとよい。
このようにすると、シートコアの外側の流体袋本体によって、流体袋本体の側面の膨れ量を確実に増大させることができる。
【００２０】
また、好ましくは、前記流体袋は、一枚のシートを折り曲げて形成されているとよい。
このようにすると、シンプルな構造とすることができ、製造原価のコストダウンを図ることができる。
【００２１】
また、好ましくは、前記シートコアの短手方向の少なくとも一方の端部が、肌側に湾曲しているとよい。
このようにすると、また、流体袋に空気を送入するとき、流体袋本体の短手方向の湾曲した側面において、生体の圧迫に寄与しない、短手方向への突出量を効果的に低減することができる。
【００２２】
また、本発明の生体圧迫装置の製造方法は、流体が入出することにより膨縮する、シートコアを収納した流体袋と、前記流体袋を内包するカバーとを有し、生体に巻き付けられる生体圧迫装置の製造方法であって、前記流体袋を製造する際、一枚のシートの、長手方向と平行な両端部を折り曲げるとともに、折り曲げられた前記両端部の内面を、前記シートコアに取り付ける工程と、前記シートコアに取り付けられた前記両端部どうしを溶着する工程と、長手方向の両端部をそれぞれ溶着する工程とを有する方法としてある。
このようにすると、長手方向と平行な両端部を折り曲げる際、折り曲げた両端部の内面をシートコアに取り付けることができるので、作業性を向上させることができる。
【００２３】
また、本発明の血圧測定装置は、上記請求項１〜４のいずれか一項に記載の前記生体圧迫装置を用いた構成としてある。
このように、本発明は血圧測定装置としても有効であり、生体を圧迫する際、短手方向の両端部において、効果的な圧迫を実現することができ、さらに、小型化を図ることができる血圧測定装置を提供することができる。
【発明の効果】
【００２４】
本発明の生体圧迫装置、その製造方法及び血圧測定装置によれば、短手方向の両端部において、効果的な圧迫を実現することができ、さらに、小型化を図ることができる。
【発明を実施するための最良の形態】
【００２５】
［生体圧迫装置の第一実施形態］
以下、本発明の生体圧迫装置の第一実施形態について、図面を参照して説明する。
図１は、本発明の第一実施形態に係る生体圧迫装置の概略図であり、（ａ）は表面側展開図を示しており、（ｂ）は裏面側展開図を示している。
図１において、生体圧迫装置１は、自動血圧計用腕帯（カフ）として用いられており、使用者の上腕に巻き付けられる。
この生体圧迫装置１は、流体袋としての空気袋２を内蔵した帯状体１０と、留め金具１３と、面ファスナー１３０とを備えている。
【００２６】
（空気袋）
図２は、本発明の第一実施形態にかかる生体圧迫装置の空気袋の概略図であり、（ａ）は平面図を示しており、（ｂ）はＡ−Ａ拡大断面図を示している。なお、図２（ｂ）は、空気袋２の構造を理解しやすいように、ジョイント２５を省略し、さらに、平らな状態で、ほぼ空気を送入していないときの断面図を示している。
図２において、空気袋２は、矩形形状としてあり、また、空気袋本体２１、シートコア３及びジョイント２５を備えている。
【００２７】
空気袋本体２１は、樹脂製の平らな一枚のシート２２から製造される。このシート２２は、長手方向と平行な両端部が折り曲げられており、これらの折り曲げられた両端部どうしが、上面の腕軸方向のほぼ中央において溶着され、さらに、長手方向の両端部が、それぞれ溶着されている。すなわち、空気袋本体２１は、長手方向と平行な両端部が折り曲げられた一枚のシート２２、該シート２２の折り曲げられた両端部どうしを溶着した、該シート２２の上面に位置する上面の溶着部２３、及び、長手方向の両端部をそれぞれ溶着した長手方向の溶着部２４を有している。
また、上面の溶着部２３及び長手方向の溶着部２４などの溶着部の幅寸法は、通常、１〜５ｍｍであるが、特に限定されるものではない。
【００２８】
上記のシート２２は、通常、フィルム状のシート部材から打ち抜き加工によって容易に形成される。また、このシート部材は、可撓性を有するとともに、弾性あるいは伸縮性を有している。
なお、ジョイント２５は、通常、上面の溶着部２３が加工される前に、シート２２に取り付けられる。
【００２９】
シートコア３は、樹脂製の可撓性を有する平らな薄板である。このシートコア３は、通常、シート部材から打ち抜き加工によって容易に形成される。また、このシート部材は、可撓性を有しており、腕形状などに応じて湾曲する。また、湾曲すると、元の形状に戻ろうとする復元力を有しており、たとえば、容易に折れ曲がるということはない。
【００３０】
また、シートコア３は、ほぼ空気袋本体２１の上面に対応した矩形形状としてある。すなわち、シートコア３は、空気袋本体２１の上面の外形を数ｍｍ内側に縮小した形状とほぼ同じ形状としてあり、また、矩形形状の短手方向において、空気袋本体２１より狭い領域に取り付けられている。このようにすると、シートコア３の外側の空気袋本体２１によって、空気袋本体２１の側面の膨れ量を確実に増大させることができる。
さらに、シートコア３は、ジョイント２５と対応する位置に、Ｕ字状の切欠が形成されている。なお、上記のＵ字状の切欠の代わりに、孔を形成してもよい。
【００３１】
シートコア３は、空気袋本体２１に収納され、空気袋本体２１の上面のシートの内面に（下面側（肌側）に）取り付けられている。
ここで、好ましくは、シートコア３が、空気袋本体２１の上面のシートの内面に、接着剤及び両面テープの少なくとも一方を介して、取り付けられているとよい。このようにすると、空気袋本体２１の上面のシートの内面に、シートコア３を容易に取り付けることができる。
本実施形態では、シートコア３の上面のほぼ全面に、接着剤を塗布し、空気袋本体２１の上面のシートの内面に、シートコア３を接着してある。なお、接着剤の塗布の方法は、これに限定されるものではない。たとえば、シートコア３の周縁部に塗布したり、あるいは、シートコア３の腕軸方向の両端部に塗布してもよい。
【００３２】
空気袋２は、上面（一枚のシート２２及びシートコア３）が、下面（一枚のシート２２）と比べると、大幅に、変形しにくくなる。すなわち、本実施形態の生体圧迫装置１が腕に巻かれると、空気袋２は、腕形状に応じて長手方向に湾曲するものの、腕軸方向においては、ほぼ直線状となる。したがって、空気袋本体２１の上面は、ほぼ膨れなくなり、相対的に空気袋本体２１の下面及び側面の膨れ量が大幅に増大する。これにより、空気袋本体２１の下面は、腕を均一に圧迫することができる。
【００３３】
また、空気袋２は、上面に、オシロメトリック式電子血圧計の配管と連結するためのジョイント２５が突出してある。このジョイント２５は、外面カバー１１及びループ面１３２を貫通して外側に露出している。
なお、空気袋２は、通常、両面テープによって、外面カバー１１に取り付けられているが、これに限定されるものではなく、たとえば、接着又は縫合によって固定してもよい。
【００３４】
(帯状体)
帯状体１０は、図１に示すように、空気袋２を外面カバー１１と内面カバー１２で挟んだ構成としてある。
外面カバー１１と内面カバー１２は、通常、樹脂製のほぼ矩形状の布が用いられる。内面カバー１２は、皮膚に触れた際、触り心地が良いように、薄く、軟らかく、かつ、伸縮性を有する布からなっており、外面カバー１１は、内面カバー１２と比べて、厚く、丈夫で、かつ、伸縮性を有しない布からなっている。
外面カバー１１と内面カバー１２は、空気袋２を挟んだ状態で、周縁部が、縁部カバーを介して糸によって縫合されている。また、長手方向のほぼ中央部では、腕方向に沿って、糸１０３によって縫合されている。
また、外面カバー１１及び内面カバー１２は、腕形状に対応しやすいように、糸１０３の他端部側の幅寸法が、一端部側より短くなっている。
【００３５】
(留め金具)
留め金具１３は、丸鋼からなる環状体であり、帯状体１０の他端部が挿入される。この留め金具１３は、帯状体１０の長手方向の一端部に取り付けられている。
この留め金具１３は、帯状体１０の下辺（肩側の辺）から約８０°の角度で斜めに取り付けられている。これにより、筋肉質の上腕に対してもほぼ密着した状態で巻き付けることができる。
【００３６】
（面ファスナー）
本実施形態では、留め金具１３に挿入され、この留め金具１３を介して折り返された帯状体１０の他端部を固定する固定手段として、面ファスナー１３０を設けてある。
面ファスナー１３０は、フック面１３１とループ面１３２とからなっている。フック面１３１は、ほぼ正方形状としてあり、外面カバー１１の他端部側の表面に、糸によって縫合されている。また、ループ面１３２は、ほぼ矩形状としてあり、フック面１３１から一端部付近までにわたって、外面カバー１１の表面に、糸によって縫合されている。
このようにすると、容易に着脱することができ、例えば、左上腕に装着する場合、他端部を右手で撮んで、容易に着脱することができる。
なお、本実施形態では、固定手段として面ファスナー１３０を用いているが、これに限定されるものではない。
【００３７】
次に、上記構成の生体圧迫装置１の動作について説明する。
まず、血圧を測定しようとする使用者は、帯状体１０の他端部が留め金具１３に通され、広がった状態の生体圧迫装置１に腕を挿入し、生体圧迫装置１が上腕に達したところで、他端部を引っ張る。これにより、帯状体１０が上腕に巻き付き、さらに、留め金具１３を介して折り返され、フック面１３１がループ面１３２に接合される。この際、生体圧迫装置１は、外面カバー１１が弛みすぎることなく、かつ、空気袋２が腕を圧迫しすぎない状態で、腕に巻き付けられる。
【００３８】
図３は、本発明の第一実施形態にかかる生体圧迫装置の空気袋の、圧迫状態を説明するための概略図であり、（ａ）はＡ−Ａ拡大断面図を示しており、（ｂ）は比較例の拡大断面図を示している。なお、図３において、理解しやすいように、ジョイント２５及び内面カバー１２を省略してある。
図３（ａ）において、生体圧迫装置１は、腕に巻き付けられており、送気球（図示せず）などの送気手段により、空気袋２に空気が送入される。この送気により、空気袋２が膨らみ、外面カバー１１が張られ、続いて、腕を圧迫する。
ここで、外面カバー１１は、厚く、丈夫で、かつ、伸縮性を有しない布であり、腕に巻かれる際、長手方向に湾曲した状態となり、また、腕も筋肉などによって多少湾曲している。すなわち、外面カバー１１、空気袋２及び腕は、理想的な弾性体又は剛体ではなく、可撓性又は微少な弾性を有し、さらに、生体圧迫装置１は、様々な状態で腕に巻き付けられる。したがって、図３においては、理解しやすいように、これらを直線的に示してある。
【００３９】
空気袋２は、上述したように、上面（一枚のシート２２及びシートコア３）が、下面（一枚のシート２２）と比べると、大幅に、変形しにくくなる。すなわち、本実施形態の生体圧迫装置１が腕に巻かれると、空気袋２は、腕形状に応じて長手方向に湾曲するものの、腕軸方向においては、ほぼ直線状となる。したがって、空気袋本体２１の上面は、ほぼ膨れなくなり、相対的に空気袋本体２１の下面及び側面の膨れ量が大幅に増大する。すなわち、空気袋２は、空気が送入される際、まず、下面の中央部が膨れ、この膨れが腕軸方向の両端部に向かって、腕の形状にならうようにして、移動する。これにより、空気袋本体２１の下面は、腕を均一に圧迫することができる。
【００４０】
また、シートコア３が接着されたシート２２とシートコア３が接着されていないシート２２（空気袋本体２１の側面）との境界部分は、弾性及び撓りやすさが急激に変化している。したがって、空気が送入されると、これらの境界部分において、不連続な形状に変形する。これに対し、たとえば、図３（ｂ）に示す空気袋２´は、両端部が折り曲げられたシート２２´と上面のほぼ中央部における上面の溶着部２３´とを有しており、全体的にほぼ同じ弾性及び撓りやすさを有している。この空気袋２´は、空気が送入されると、側面がほぼ半円状に湾曲する。
すなわち、空気袋２は、空気が送入される際、まず、空気袋本体２１の下面が、上述したように、腕の形状にならうように膨れる。そして、この膨れが、腕軸方向の端部に到達すると、上記の境界部分において、不連続な形状に変形するので、腕軸方向の圧迫有効長さＬ（Ｌ>Ｌ´）が増え、腕軸方向の湾曲した側面において、腕の圧迫に寄与しない、腕軸方向への突出量ΔＬ（ΔＬ<ΔＬ´）が低減される。
したがって、生体圧迫装置１は、腕にゆるく巻き付けられた場合（隙間ｔが大きい場合）であっても、空気袋２に空気が送入されると、腕軸方向の端部において、効果的な圧迫を実現することができる。
【００４１】
また、上述したように、空気袋２は、空気が送入されると、図２（ｂ）における、シートコア３の手側の端部より手側の上面の部分、及び、シートコア３の肩側の端部より肩側の上面の部分が、図３（ａ）に示すように、湾曲し、側面として機能する。したがって、シートコア３の手側の端部より手側の上面の部分、及び、シートコア３の肩側の端部より肩側の上面の部分の幅寸法を広くすることにより、隙間ｔがさらに大きい場合にも、対応することができる。
【００４２】
生体圧迫装置１は、腕軸方向への突出量ΔＬが、図９（ｂ）に示すΔＬ０より大幅に短くなるので、図１の幅寸法Ｗ（Ｗ<Ｗ０）を短くすることができ、小型化を図ることができる。
また、生体圧迫装置１は、空気袋２をシンプルな構造としてあるので、製造原価のコストダウンを図ることができる。
【００４３】
以上説明したように、本実施形態の生体圧迫装置１によれば、空気袋２において、腕軸方向の圧迫有効長さＬ（Ｌ>Ｌ´）が増え、腕軸方向の湾曲した側面において、腕の圧迫に寄与しない、腕軸方向への突出量ΔＬ（ΔＬ<ΔＬ´）が低減される。すなわち、生体圧迫装置１は、腕軸方向の両端部において、効果的な圧迫を実現することができ、さらに、小型化を図ることができる。
【００４４】
［生体圧迫装置の第二実施形態］
図４は、本発明の第二実施形態にかかる生体圧迫装置の空気袋の概略図であり、（ａ）は平面図を示しており、（ｂ）はＢ−Ｂ拡大断面図を示している。なお、図４（ｂ）は、空気袋２ａの構造を理解しやすいように、ジョイント２５を省略し、さらに、平らな状態で、ほぼ空気を送入していないときの断面図を示している。
図４において、本実施形態の生体圧迫装置は、第一実施形態の生体圧迫装置１と比べると、空気袋２ａのシートコア３ａにおける短手方向の両端部が肌側に湾曲している点が相違する。なお、本実施形態の生体圧迫装置の他の構成は、生体圧迫装置１とほぼ同様としてある。
したがって、図４において、図２と同様の構成部分については同一の符号を付して、その詳細な説明を省略する。
【００４５】
シートコア３ａは、短手方向の両端部（数ｍｍの幅を有する部分）が肌側に湾曲している。すなわち、シートコア３ａは、短手方向の両端部に、肌側に湾曲した湾曲部３１を有している。これらの湾曲部３１にも接着剤が塗布されており、シート２２が接着されている。このようにすると、空気袋２ａに空気を送入するとき、空気袋本体２１の短手方向の湾曲した側面において、生体の圧迫に寄与しない、短手方向への突出量を確実に低減することができる。
また、シートコア３ａは、手側の端部の４箇所に、腕軸方向にスリット３２が形成され、さらに、シートコア３ａの肩側の端部の７箇所に、腕軸方向にスリット３２が形成されている。これにより、空気袋２ａが腕に巻かれるとき、湾曲部３１によって、巻きにくくなるといった不具合を回避することができる。
なお、湾曲部３１の幅寸法、並びに、スリット３２の数量及び形状などは、上記構成に限定されるものではない。
【００４６】
次に、上記構成の生体圧迫装置１の動作について説明する。
まず、生体圧迫装置は、上述したように、外面カバー１１が弛みすぎることなく、かつ、空気袋２が腕を圧迫しすぎない状態で、腕に巻き付けられる。
図５は、本発明の第二実施形態にかかる生体圧迫装置の空気袋の、圧迫状態を説明するための概略Ｂ−Ｂ拡大断面図を示している。なお、図５において、理解しやすいように、ジョイント２５及び内面カバー１２を省略してある。
図５において、生体圧迫装置は、腕に巻き付けられており、送気球（図示せず）などの送気手段により、空気袋２ａに空気が送入される。この送気により、空気袋２ａが膨らみ、外面カバー１１が張られ、続いて、腕を圧迫する。
【００４７】
空気袋２ａは、上述したように、シートコア３ａの短手方向の両端部に、肌側に湾曲した湾曲部３１を有している。これらの湾曲部３１にも接着剤が塗布されており、シート２２が接着されている。
したがって、空気袋２ａに空気を送入するとき、空気袋本体２１の短手方向の湾曲した側面において、生体の圧迫に寄与しない、短手方向への突出量を確実に低減することができる。また、隙間ｔの大きさなどによっては、短手方向への突出量を、第一実施形態の突出量より短くすることができる。
なお、本実施形態の生体圧迫装置の他の動作は、生体圧迫装置１とほぼ同様としてある。
【００４８】
以上説明したように、本実施形態の生体圧迫装置によれば、第一実施形態と比べると、生体の圧迫に寄与しない、短手方向への突出量を確実に低減することができる。また、隙間ｔの大きさなどによっては、短手方向への突出量を、第一実施形態の突出量より短くすることができ、腕軸方向の両端部において、さらに効果的な圧迫を実現することができる。
【００４９】
［生体圧迫装置の製造方法の一実施形態］
図６は、本発明の一実施形態にかかる生体圧迫装置の製造方法を説明するための、概略フローチャート図を示している。
図６において、本実施形態の生体圧迫装置の製造方法は、上述した第一実施形態の生体圧迫装置１の製造方法である。
【００５０】
この生体圧迫装置の製造方法は、空気袋２を製造する際、以下の工程を有している。
すなわち、まず、打ち抜き加工などによって、一枚のシート２２を所定の形状に形成する（ステップＳ１）。
シート２２は、図示してないが、ほぼ矩形状としてあり、腕軸方向に、肩側の上面部分、下面部分及び手側の上面部分を有しており、手側の上面部分にジョイント用孔が形成されている。
ここで、シート２２の長手方向の両端部の形状は、空気袋２に対応する形状としていない。したがって、この部分は、後述する長手方向の溶着部２４の溶着工程（ステップＳ４）において、溶着後に、あるいは、溶着とほぼ同時に、ピグ型などを用いて形成する。なお、これに限定されるものではなく、たとえば、ステップＳ１にて、空気袋２に対応する形状に形成してもよい。
【００５１】
次に、一枚のシート２２の、長手方向と平行な両端部を折り曲げるとともに、折り曲げられた両端部の内面を、シートコア３に取り付ける（ステップＳ２）。
すなわち、シート２２の下面部分に、接着剤の塗布されたシートコア３を載置し、所定の折り曲げ位置から肩側の上面部分を折り曲げる。このとき、肩側の上面部分は、シートコア３に接着される。続いて、所定の折り曲げ位置から手側の上面部分を折り曲げる。このとき、手側の上面部分は、シートコア３に接着される。さらに、肩側の上面部分の端部上に、手側の上面部分の端部が載置される。
【００５２】
次に、シートコア３に取り付けられた両端部どうしを溶着する（ステップＳ３）。
すなわち、肩側の上面部分の端部上に載置された手側の上面部分の端部に、ホットバー（図示せず）を押下することにより、肩側の上面部分の端部と手側の上面部分の端部とを溶着する。この溶着によって、上面の溶着部２３が形成される。
なお、本実施形態では、シートコア３が耐熱板（図示せず）として機能する。ただし、これに限定されるものではなく、たとえば、耐熱板を使用してもよい。
【００５３】
次に、長手方向の両端部をそれぞれ溶着する（ステップＳ４）。
この溶着によって、図２（ａ）に示すように、一対の長手方向の溶着部２４が形成される。また、本実施形態では、溶着後に、あるいは、溶着と同時に、ピグ型などを用いて、長手方向の溶着部２４の外側の部分を切断する。
【００５４】
以上説明したように、本実施形態の生体圧迫装置の製造方法によれば、ステップＳ２において、肩側の上面部分を、折り曲げるとともにシートコア３に接着し、続いて、手側の上面部分を、折り曲げるとともにシートコア３に接着することができる。すなわち、作業性を向上させることができるので、製造原価のコストダウンを図ることができる。
【００５５】
［血圧測定装置の一実施形態］
本発明は、血圧測定装置（適宜、血圧計と略称する。）の発明としても有効である。
図７は、本発明の一実施形態に係るオシロメトリック式電子血圧計の要部の概略ブロック図を示している。
図７において、オシロメトリック式電子血圧計４は、空気袋２を内蔵した生体圧迫装置１と、配管４１を介して空気袋２と連通した、圧力センサ４２、ポンプ４３及び排気弁４４と、圧力センサ４２、ポンプ４３及び排気弁４４と接続された情報処理装置４５と、情報処理装置４５と接続された操作スイッチ４６及び表示器４７とからなっている。
ここで、本実施形態のオシロメトリック式電子血圧計４は、上述した実施形態の生体圧迫装置１を備えた構成としてある。
【００５６】
このようにすると、本実施形態のオシロメトリック式電子血圧計４は、上述したように、腕を均一に圧迫することができ、また、腕軸方向の両端部において、効果的な圧迫を実現することができるので、精度よく血圧を測定することができる。また、生体圧迫装置１の小型化を図ることができる。
【００５７】
以上、本発明の生体圧迫装置、その製造方法及び血圧測定装置について、好ましい実施形態を示して説明したが、本発明に係る生体圧迫装置、その製造方法及び血圧測定装置は、上述した実施形態にのみ限定されるものではなく、本発明の範囲で種々の変更実施が可能であることは言うまでもない。
例えば、シートコア３、３ａは、１枚のシートコアとしてあるが、これに限定されるものではない。たとえば、図示してないが、シートコア３、３ａを腕軸方向に切断し、複数枚（たとえば、２〜９枚）のシートコアからなる構成としてもよい。このようにすると、腕軸方向の復元力をほぼ維持しつつ、腕への巻き易さを向上させることができる。
【産業上の利用可能性】
【００５８】
以上説明したように、本発明の生体圧迫装置は、血圧計用腕帯に用いられる場合に限定されるものではなく、たとえば、加圧中の脈波を精度よく測定する必要のある、止血用の生体圧迫装置などとしても有効に適用することができる。
【図面の簡単な説明】
【００５９】
【図１】図１は、本発明の第一実施形態に係る生体圧迫装置の概略図であり、（ａ）は表面側展開図を示しており、（ｂ）は裏面側展開図を示している。
【図２】図２は、本発明の第一実施形態にかかる生体圧迫装置の空気袋の概略図であり、（ａ）は平面図を示しており、（ｂ）はＡ−Ａ拡大断面図を示している。
【図３】図３は、本発明の第一実施形態にかかる生体圧迫装置の空気袋の、圧迫状態を説明するための概略図であり、（ａ）はＡ−Ａ拡大断面図を示しており、（ｂ）は比較例の拡大断面図を示している。
【図４】図４は、本発明の第二実施形態にかかる生体圧迫装置の空気袋の概略図であり、（ａ）は平面図を示しており、（ｂ）はＢ−Ｂ拡大断面図を示している。
【図５】図５は、本発明の第二実施形態にかかる生体圧迫装置の空気袋の、圧迫状態を説明するための概略Ｂ−Ｂ拡大断面図を示している。
【図６】図６は、本発明の一実施形態にかかる生体圧迫装置の製造方法を説明するための、概略フローチャート図を示している。
【図７】図７は、本発明の一実施形態にかかるオシロメトリック式電子血圧計の要部の概略ブロック図を示している。
【図８】図８は、従来例にかかる生体圧迫装置の概略図であり、（ａ）は表面側展開図を示しており、（ｂ）は裏面側展開図を示している。
【図９】図９は、従来例にかかる生体圧迫装置の空気袋の要部の概略図であり、（ａ）は平面図を示しており、（ｂ）は圧迫状態を説明するためのＣ−Ｃ拡大断面図を示している。
【符号の説明】
【００６０】
１  生体圧迫装置
２、２´、２ａ  空気袋
３、３ａ  シートコア
４  オシロメトリック式電子血圧計
１０  帯状体
１１  外面カバー
１２  内面カバー
１３  留め金具
２１  空気袋本体
２２、２２´  シート
２３、２３´  上面の溶着部
２４  長手方向の溶着部
２５  ジョイント
３１  湾曲部
３２  スリット
４１  配管
４２  圧力センサ
４３  ポンプ
４４  排気弁
４５  情報処理装置
４６  操作スイッチ
４７  表示器
１００  生体圧迫装置
１０３  糸
１１０  帯状体
１１１  外面カバー
１１２  内面カバー
１２０  空気袋
１２１  上面側シート
１２２  下面側シート
１２３  溶着部
１３０  面ファスナー
１３１  フック面
１３２  ループ面
【図１】
2010088505.tif 000003
【図２】
2010088505.tif 000004
【図３】
2010088505.tif 000005
【図４】
2010088505.tif 000006
【図５】
2010088505.tif 000007
【図６】
2010088505.tif 000008
【図７】
2010088505.tif 000009
【図８】
2010088505.tif 000010
【図９】
2010088505.tif 000011